(57)【要約】      （修正有）【課題】簡単な構成でグリストラップの清掃の負担を軽減することができる水質改善用具を提供する。【解決手段】固形または粒状のバイオ油脂汚泥分解剤１１および固形または粒状のバイオ活性剤１２の少なくとも何れか一方を載置する底面１４ａを有し、底面１４ａに載置されたバイオ油脂汚泥分解剤１１およびバイオ活性剤１２の少なくとも何れか一方の移動を抑制する製剤収容部１４と、製剤収容部１４から上方に延び、繊維状の油脂吸着材１３を保持するための吸着材保持部１５と、吸着材保持部１５を、貯留槽３の側壁、または貯留槽３の内部を複数に区画するための仕切り板５ａ、５ｂに取り付けるための取り付け部と、を備えている。【選択図】図１
0003217047.tif 000002
【実用新案登録請求の範囲】
【請求項１】
排液を一時貯留する貯留槽を有するグリストラップに設置する水質改善用具であって、
固形または粒状のバイオ油脂汚泥分解剤および固形または粒状のバイオ活性剤の少なくとも何れか一方を載置する底面を有し、前記底面に載置された前記バイオ油脂汚泥分解剤および前記バイオ活性剤の少なくとも何れか一方の移動を抑制する製剤収容部と、
前記製剤収容部から上方に延び、繊維状の油脂吸着材を保持するための吸着材保持部と、
前記吸着材保持部を、前記貯留槽の側壁、または前記貯留槽の内部を複数に区画するための仕切り板に取り付けるための取り付け部と、を備えた、水質改善用具。
【請求項２】
前記製剤収容部は、前記底面および前記底面の端部から上方に延びる側面を備え、前記底面および前記側面の少なくとも一方に、複数の貫通孔が形成されている、請求項１に記載の水質改善用具。
【請求項３】
前記製剤収容部の底面は、前記取り付け部が前記貯留槽の前記側壁または前記仕切り板に取り付けられた状態で、前記貯留槽の底面より所定距離上方に位置する、請求項１または２に記載の水質改善用具。
【請求項４】
前記製剤収容部の前記底面に固形のバイオ油脂汚泥分解剤および粒状のバイオ活性剤が載置され、前記吸着材保持部に前記油脂吸着材が保持されており、前記油脂吸着材は、前記バイオ油脂汚泥分解剤および前記バイオ活性剤の上方を覆うように前記製剤収容部の上方に位置する、請求項１から３の何れかに記載の水質改善用具。
【請求項５】
前記吸着材保持部は、
内部に前記油脂吸着材が収容される空間を有する平面視矩形状の枠体と、
前記枠体の上端部において前記矩形の一辺とそれに対向する他の一辺との間にわたって設けられ、前記枠体内に収容された前記油脂吸着材が上方に移動するのを抑制する移動抑制部と、を備えた、請求項１から４の何れかに記載の水質改善用具。
【請求項６】
前記取り付け部は、前記枠体の上端部に設けられた逆Ｕ字形状のフックにより構成される、請求項５に記載の水質改善用具。
【請求項７】
前記枠体は、複数の棒状体を組み合わせて形成され、
前記製剤収容部は、複数の平板を組み合わせて形成される、請求項５または６に記載の水質改善用具。
【考案の詳細な説明】
【技術分野】
【０００１】
本考案は、グリストラップに設置する水質改善用具に関する。
【背景技術】
【０００２】
従来から、厨房等において生じる排液から油分および食品残渣等の屑を除去するために厨房等に設置するグリストラップが知られている（例えば特許文献１参照）。グリストラップは、排液を貯留する貯留槽において、排液から屑をバスケット等を用いて捕集し、残りの排液を、比重差を用いて油分（油脂）と水分および沈殿物（汚泥）とに分離し、水分を排出するように構成されている。
【０００３】
このために、グリストラップの貯留槽の液面付近には、比重の小さい油分が溜まるため、ユーザまたは清掃員が定期的に除去する必要がある。さらに、貯留槽の底部には、比重の大きな汚泥が沈殿するため、ユーザまたは清掃員が定期的に除去、清掃する必要がある。
【先行技術文献】
【特許文献】
【０００４】
【特許文献１】特開２０１２−１０６２４７号公報
【考案の概要】
【考案が解決しようとする課題】
【０００５】
以上のように、グリストラップは、定期的な清掃が必要となる。一方で、グリストラップは、排液および貯留槽に貯留する屑等から悪臭が生じ易い、害虫の発生源になり易い、フロア下に設置され蓋がされることによりユーザまたは清掃員の清掃意識が低下し易い、屈んでの作業となるため作業負荷が大きい等の諸理由により、グリストラップの清掃は、ユーザまたは清掃員に忌避され易い。この結果、グリストラップの清掃頻度が低下すると、悪臭、害虫の問題がますます悪化してしまう。
【０００６】
グリストラップの清掃の負担を軽減するための対策として、固形のバイオ油脂汚泥分解剤を貯留槽に投入することが考えられている。バイオ油脂汚泥分解剤は、貯留槽内に貯留されている排液内で溶け出すことにより、バイオ油脂汚泥分解剤に含まれるバクテリア（嫌気性菌）が活動し、排液中の油脂または汚泥の分解を促進させるものである。しかし、排液が多い場合等、貯留槽内の排液の流れが速いと、バクテリアが十分活動する前にバイオ油脂汚泥分解剤が排出されてしまう等、十分に効果が出ない場合がある。
【０００７】
また、他の対策として、粒状のバイオ活性剤を貯留槽に投入することが考えられている。バイオ活性剤は、排液中にもともと存在するバクテリアの活動を促進させることにより、排液中の油脂または汚泥の分解を促進させるものである。しかし、バイオ活性剤は、排液中のバクテリアの状況（バクテリアの数、活動状態等）に左右されるため、効果が出るまで時間がかかり、しかもその効果がユーザ等には把握し難い問題がある。このため、費用対効果の点からバイオ活性剤は、あまり活用されていない。
【０００８】
また、他の対策として、油分を吸着するための油脂吸着材を貯留槽に投入することが考えられている。しかし、油脂吸着材の多くは、繊維状の非常に比重の小さい材質でできており、貯留槽に投入しても浮いてしまい、十分に油分を吸着することができない問題がある。
【０００９】
その他、定期的に貯留槽をバキュームで吸引することも考えられるが、コストが掛かる一方で、清潔な状態が続かず短期間で貯留槽が汚れてしまい、好ましくない。また、強アルカリ洗剤を投入して排液を乳化処理することも考えられるが、汚泥等がそのまま下水に排出されてしますため、環境負荷が大きく好ましくない。上記特許文献１では、排液を汲み上げポンプ内に汲み上げた後、汲み上げポンプ内で液状鹸化剤を混ぜ合わせることにより、排液を石鹸化液にして外部に排出することが開示されている。この方法であれば、環境負荷への影響は抑えられるが、定期的なバキュームが必要となり、高コストとなる。
【００１０】
本考案は、上記のような課題を解決するためになされたものであり、簡単な構成でグリストラップの清掃の負担を軽減することができる水質改善用具を提供することを目的としている。
【課題を解決するための手段】
【００１１】
本考案に係る水質改善用具は、排液を一時貯留する貯留槽を有するグリストラップに設置する水質改善用具であって、固形または粒状のバイオ油脂汚泥分解剤および固形または粒状のバイオ活性剤の少なくとも何れか一方を載置する底面を有し、前記底面に載置された前記バイオ油脂汚泥分解剤および前記バイオ活性剤の少なくとも何れか一方の移動を抑制する製剤収容部と、前記製剤収容部から上方に延び、繊維状の油脂吸着材を保持するための吸着材保持部と、前記吸着材保持部を、前記貯留槽の側壁、または前記貯留槽の内部を複数に区画するための仕切り板に取り付けるための取り付け部と、を備えている。
【００１２】
上記構成によれば、取り付け部を貯留槽の側壁または仕切り板に取り付けることにより、バイオ油脂汚泥分解剤およびバイオ活性剤の少なくとも何れか一方が収容される製剤収容部がグリストラップの貯留槽に貯留された排液中に位置する。製剤収容部は、底面に載置されたバイオ油脂汚泥分解剤およびバイオ活性剤の少なくとも何れか一方の移動を抑制するため、製剤収容部内に収容されたバイオ油脂汚泥分解剤およびバイオ活性剤の少なくとも何れか一方が貯留槽に貯留された排液中に留まり易くなり、排液に対する油分または汚泥の分解効果を高めることができる。また、吸着材保持部により、油脂吸着材を貯留槽に貯留された排液中において保持することができる。これにより、排液中の油分を油脂吸着材に吸着させる効果を高めることができる。このように、上記構成によれば、簡単な構成でグリストラップの清掃の負担を軽減することができる。
【００１３】
前記製剤収容部は、前記底面および前記底面の端部から上方に延びる側面を備え、前記底面および前記側面の少なくとも一方に、複数の貫通孔が形成されていてもよい。
【００１４】
これによれば、製剤収容部に側面が形成されることで、製剤収容部に収容されるバイオ油脂汚泥分解剤および／またはバイオ活性剤が製剤収容部から外部へ一度に流出するのが防止される。これに加えて、底面および／または側面に貫通孔が形成されることにより、バイオ油脂汚泥分解剤から溶け出した成分またはバイオ活性剤の一部をグリストラップの貯留槽内部において適度に流通し易くすることができる。
【００１５】
前記製剤収容部の底面は、前記取り付け部が前記貯留槽の前記側壁または前記仕切り板に取り付けられた状態で、前記貯留槽の底面より所定距離上方に位置してもよい。
【００１６】
これによれば、製剤収容部の底面に載置されたバイオ油脂汚泥分解剤および／またはバイオ活性剤が、貯留槽の液面下において貯留槽の底面から上方へ離れた位置で保持される。これにより、バイオ油脂汚泥分解剤および／またはバイオ活性剤から溶出した成分が貯留槽の内部において漂う範囲が広くなり、バイオ油脂汚泥分解剤および／またはバイオ活性剤の効果を貯留槽内部の広範囲に行き渡らせることができる。
【００１７】
前記製剤収容部の前記底面に固形のバイオ油脂汚泥分解剤および粒状のバイオ活性剤が載置され、前記吸着材保持部に前記油脂吸着材が保持されており、前記油脂吸着材は、前記バイオ油脂汚泥分解剤および前記バイオ活性剤の上方を覆うように前記製剤収容部の上方に位置していてもよい。
【００１８】
これによれば、固形のバイオ油脂汚泥分解剤および粒状のバイオ活性剤が製剤収容部に収容された状態で油脂吸着材がこれらの製剤の上方を覆った状態で吸着材保持部に保持される。したがって、これらの製剤の過度の流出を抑えることができる。
【００１９】
前記吸着材保持部は、内部に前記油脂吸着材が収容される空間を有する平面視矩形状の枠体と、前記枠体の上端部において前記矩形の一辺とそれに対向する他の一辺との間にわたって設けられ、前記枠体内に収容された前記油脂吸着材が上方に移動するのを抑制する移動抑制部と、を備えてもよい。
【００２０】
この場合、枠体内に油脂吸着材が収容された状態で、吸着材保持部が排液中に設置された場合に、移動抑制部によって油脂吸着材が浮力により上方に移動することを防止することができる。これにより、貯留槽に貯留された排液の液面より下方において油脂吸着材を保持することができるため、油脂吸着材による油分の吸着効率を高めることができる。
【００２１】
前記取り付け部は、前記枠体の上端部に設けられた逆Ｕ字形状のフックにより構成されてもよい。
【００２２】
この場合、貯留槽の側壁または仕切り板にフックを引っ掛けることにより、水質改善用具を貯留槽に簡単に設置することができる。また、取り付け部のフックより下方に製剤収容部および吸着材保持部が位置するため、水質改善用具の設置時において、製剤収容部および吸着材保持部を、グリストラップの貯留槽に貯留された排液内に位置させ易くすることができる。
【００２３】
前記枠体は、複数の棒状体を組み合わせて形成され、前記製剤収容部は、複数の平板を組み合わせて形成されてもよい。
【００２４】
これにより、簡単な構成で吸着材保持部および製剤収容部を形成することができる。しかも、吸着材保持部においては枠体内に収容される油脂吸着材への排液の流通を良くすることができるとともに、製剤収容部においては製剤収容部に収容されるバイオ油脂汚泥分解剤および／またはバイオ活性剤への排液の流通速度を制限することができる。したがって、油脂吸着材への油分の吸着効率を高めつつ、バイオ油脂汚泥分解剤および／またはバイオ活性剤が外部へ流出するのを防止することができる。
【考案の効果】
【００２５】
本考案に係る水質改善用具によれば、簡単な構成でグリストラップの清掃の負担を軽減することができる。
【図面の簡単な説明】
【００２６】
【図１】図１は、本考案の一実施の形態に係る水質改善用具が設置されたグリストラップを示す図である。
【図２】図２は、図１に示す水質改善用具の斜視図である。
【図３】図３は、一実施の形態に係る水質改善用具の製剤収容部の変形例を示す斜視図である。
【考案を実施するための形態】
【００２７】
以下、本考案の一実施の形態に係る水質改善用具について図面を参照しつつ説明する。図１は、本考案の一実施の形態に係る水質改善用具が設置されたグリストラップを示す図である。図２は、図１に示す水質改善用具の斜視図である。
【００２８】
まず、本実施の形態における水質改善用具１を設置するグリストラップ２について説明する。グリストラップ２は、厨房等の床面下に設置される貯留槽３を備えている。貯留槽３は、直方体形状の長手方向（排液流通方向Ｘ）に直交する複数の仕切り板５ａ，５ｂにより貯留槽３の内部が複数の区画６ａ〜６ｃに区画されている。本実施の形態においては、貯留槽３の内部を３つの区画６ａ〜６ｃに区画するために、第１の仕切り板５ａおよび第２の仕切り板５ｂが設けられている。
【００２９】
仕切り板５ａ，５ｂは、下端部が貯留槽３の底面から所定距離上方に位置している。すなわち、複数の区画６ａ〜６ｃは、貯留槽３の底面近傍において排液が相互に流通可能になっている。
【００３０】
貯留槽３の長手方向一端部の側壁には、貯留槽３に排液を導入する導入口７が設けられている。導入口７と第１の仕切り板５ａとの間に位置する第１の区画６ａには、排液に混入されている食品残渣等の比較的大きな屑を除去するためのバスケット８が設置される。
【００３１】
第１の仕切り板５ａと第２の仕切り板５ｂとの間に位置する第２の区画６ｂにおける貯留槽３の底面には、上端部の上下方向位置が仕切り板５ａ，５ｂの下端部の近傍に位置する補助仕切り板９が設置されている。
【００３２】
貯留槽３の長手方向他端部の側壁と第２の仕切り板５ｂとの間に位置する第３の区画６ｃには、排液を外部に排出するトラップ管１０が設けられている。導入口７から貯留槽３内に排液が流入し、トラップ管１０から排出されることにより、貯留槽３の長手方向（排液流通方向Ｘ）に沿って排液が流通する。
【００３３】
このようなグリストラップ２によれば、導入口７から排液が第１の区画６ａに導入される。排液に混入されている比較的大きな屑は、バスケット８に捕集される。残りの排液は、貯留槽３内で滞留することにより、比重差を用いて油分と水分および沈殿物（汚泥）とに分離する。仕切り板５ａ，５ｂおよび補助仕切り板９は、排液を貯留槽３内で滞留させ、油分と水分との分離を促進する。
【００３４】
この結果、貯留槽３に貯留される排液の液面付近（上層）には油分が溜まり、底面付近（下層）には、沈殿物（汚泥）溜まり、その間（中層）には水分が溜まるようになる。第３の区画６ｃに配置されたトラップ管１０により貯留槽３の中層に溜まった水分が下水管等に排出される。
【００３５】
なお、導入口７からトラップ管１０に至る排液の流れにより、排液流通方向Ｘの下流の区画ほど上記分離が促される。すなわち、最下流の第３の区画６ｃにおいて最も分離が促進されている。このため、貯留槽３内の水分を排出するトラップ管１０が第３の区画６ｃに配置される。
【００３６】
以上のように、貯留槽３に貯留される排液の上層には油分（油脂）が溜まり、下層には汚泥が沈殿する。貯留槽３に溜まった油脂または汚泥は、ユーザまたは清掃員が定期的に除去、清掃する必要がある。この清掃作業の負荷を下げるためにバイオ油脂汚泥分解剤１１および／またはバイオ活性剤１２が貯留槽３に投入される。また、液面付近の油分を吸着する油脂吸着材１３も貯留槽３に投入される。
【００３７】
バイオ油脂汚泥分解剤１１は、油脂および／または汚泥を分解するバクテリアを含む固形または粒状の製剤である。例えば、バイオ油脂汚泥分解剤１１は、バクテリアおよび当該バクテリアの活性を高める有効成分が配合されたタブレット状の製剤として構成されている。また、バイオ活性剤１２は、例えば、キレート化された銀イオンを溶出することで、貯留槽３内で活動するバクテリアの活性を高める固形または粒状の製剤である。油脂吸着材１３は、例えばポリプロピレン等の油の吸着性に優れた繊維状の油脂吸着材である。油脂吸着材１３はネット状の袋体等に入れられた状態で用いられる。
【００３８】
本実施の形態における水質改善用具１は、バイオ油脂汚泥分解剤１１、バイオ活性剤１２および油脂吸着材１３の各水質改善効果を高め、これらを併用することによる相乗効果が生じるように構成されている。以下、水質改善用具１の具体的な構成について説明する。
【００３９】
図１および図２に示すように、本実施の形態における水質改善用具１は、固形のバイオ油脂汚泥分解剤１１および粒状のバイオ活性剤１２を載置する底面１４ａを有する製剤収容部１４と、製剤収容部１４から上方に延び、繊維状の油脂吸着材１３を保持するための吸着材保持部１５と、吸着材保持部１５を、グリストラップ２の貯留槽３の仕切り板（ここでは、第２の仕切り板５ｂ）に取り付けるための取り付け部１６と、を備えている。
【００４０】
製剤収容部１４は、底面１４ａおよび底面１４ａの端部から上方に延びる側面１４ｂを備えている。底面１４ａは矩形状に形成され、矩形を構成する４辺から上方に向けて４つの側面１４ｂが設けられている。なお、図２においては、４つの側面１４ｂのうち、１つの側面１４ｂの図示を省略している。底面１４ａおよび側面１４ｂは、例えばステンレス板等の複数の平板を組み合わせて（折り曲げ加工または溶接等により）形成されている。
【００４１】
製剤収容部１４の底面１４ａおよび側面１４ｂには、複数の貫通孔１８が形成されている。なお、図２においては、底面１４ａに形成される複数の貫通孔１８の図示を省略している。複数の貫通孔１８は、例えば、貯留槽３に投入する前のバイオ活性剤１２の平均粒径よりやや大きい程度の直径を有している。
【００４２】
吸着材保持部１５は、内部に油脂吸着材１３が収容される空間を有する平面視矩形状の枠体１５ａと、枠体１５ａ内に収容された油脂吸着材１３が上方に移動するのを抑制する移動抑制部１５ｂと、を備えている。枠体１５ａが画する矩形の面積は、製剤収容部１４の底面１４ａの面積とほぼ同じである。移動抑制部１５ｂは、枠体１５ａの上端部において矩形の一辺（取り付け部１６が設けられている側の一辺）１７ａとそれに対向する他の一辺１７ｂとの間にわたって設けられている。
【００４３】
枠体１５ａは、複数の棒状体を組み合わせて形成される。例えば、枠体１５ａは、棒状のステンレス材から形成されてもよい。同様に、移動抑制部１５ｂも、棒状体から形成される。例えば、吸着材保持部１５は、棒状体を矩形状の輪型に曲げ形成した複数（図１においては２つ）の第１部材１５１と、棒状体をＵ字形状に曲げ形成した複数（図１においては４つ）の第２部材１５２とを組み合わせて形成される。この場合、２つの第１部材１５１が上下方向に平行配置される。これにより、第１部材１５１は、枠体１５ａの水平方向成分となる。また、４つの第２部材１５２は、平面視において第１部材１５１の長手方向に平行配置される。これにより、第２部材１５２は、枠体１５ａの垂直方向成分および移動抑制部１５ｂとなる。
【００４４】
取り付け部１６は、枠体１５ａの上端部に設けられた逆Ｕ字形状のフックにより構成される。取り付け部１６は、例えばステンレス板等の平板を逆Ｕ字形状に折り曲げ加工することにより形成される。取り付け部１６は、吸着材保持部１５の第１部材１５１に固定される。取り付け部１６が仕切り板５ｂに取り付けられた状態で、水質改善用具１の平面視における長手方向は、貯留槽３における排液流通方向Ｘに対して直交する。
【００４５】
製剤収容部１４の底面１４ａは、取り付け部１６が貯留槽３の仕切り板５ｂに取り付けられた状態で、貯留槽３の底面より所定距離上方（中層付近）に位置している。
【００４６】
このような構成の水質改善用具１において、製剤収容部１４の底面１４ａに固形のバイオ油脂汚泥分解剤１１および粒状のバイオ活性剤１２が載置され、吸着材保持部１５に油脂吸着材１３が保持される。油脂吸着材１３は、吸着材保持部１５の上部から差し込んで装着される。吸着材保持部１５の装着を容易にするために、４つの第２部材１５２は、第１部材１５１の長手方向に均等に配置されるのではなく、第１部材１５１の長手方向中央部における間隔が長手方向端部における間隔より広くなるように配置される。これにより、油脂吸着材１３を吸着材保持部１５の枠体１５ａ内に挿入し易くすることができる。油脂吸着材１３のサイズ（容積）は、枠体１５ａ内の空間の容積と同程度とすることが好ましい。
【００４７】
油脂吸着材１３が吸着材保持部１５に保持された状態で、油脂吸着材１３は、バイオ油脂汚泥分解剤１１およびバイオ活性剤１２の上方を覆うように製剤収容部１４の上方に位置する。
【００４８】
上記構成によれば、取り付け部１６を貯留槽３の仕切り板５ｂに取り付けることにより、バイオ油脂汚泥分解剤１１およびバイオ活性剤１２が収容される製剤収容部１４が貯留槽３に貯留された排液中に位置する。製剤収容部１４は、底面１４ａに載置されたバイオ油脂汚泥分解剤１１およびバイオ活性剤１２の移動を抑制するため、製剤収容部１４内に収容されたバイオ油脂汚泥分解剤１１およびバイオ活性剤１２が貯留槽３に貯留された排液中に留まり易くなり、排液に対する油分または汚泥の分解効果を高めることができる。
【００４９】
バイオ油脂汚泥分解剤１１およびバイオ活性剤１２が同じ製剤収容部１４内に収容されることにより、バイオ油脂汚泥分解剤１１から溶出するバクテリアの活動をバイオ活性剤１２が活性化させる。バイオ活性剤１２は、バイオ油脂汚泥分解剤１１により貯留槽３内の排液中に存在するバクテリアの数が安定した状態でその効果を発揮することにより、バイオ活性剤１２のみで使用された場合に比べてより高い活性効果を発揮することができる。
【００５０】
また、吸着材保持部１５により、油脂吸着材１３を貯留槽３に貯留された排液中において（液面下に沈めた状態で）保持することができる。これにより、排液中の油分を油脂吸着材１３に吸着させる効果を高めることができる。吸着材保持部１５に油脂吸着材１３を保持させて、油脂吸着材１３に油分を効率的に吸着させることにより、貯留槽３の液面に溜まる油分が除去され、ユーザに目視による水質改善効果を体感させることができる。このため、ユーザに水質改善用具１の継続的な使用を促すことができる。その上で、バイオ油脂汚泥分解剤１１およびバイオ活性剤１２の効果により油脂および汚泥の分解が促進されることにより、油脂吸着材１３への油脂の吸着効率を高めるとともに汚泥からの悪臭を抑制することができる。
【００５１】
さらに、バイオ油脂汚泥分解剤１１、バイオ活性剤１２および油脂吸着材１３が１つの水質改善用具１に保持されるため、水質改善用具１を定期的に貯留槽３から取り出し、バイオ油脂汚泥分解剤１１およびバイオ活性剤１２の補充、油脂吸着材１３の交換、および、水質改善用具１の清掃を行うことにより、容易にこれらの相乗効果を継続的に発揮することができる。また、バキューム等の費用対効果の低い作業を行う必要がなくなるとともに、環境負荷の高い対策を取る必要もなくなる。
【００５２】
このように、上記構成の水質改善用具１によれば、簡単な構成でグリストラップ２の清掃の負担を軽減することができる。
【００５３】
特に、本実施の形態によれば、製剤収容部１４の底面１４ａに載置されたバイオ油脂汚泥分解剤１１およびバイオ活性剤１２が、貯留槽３の液面下において貯留槽３の底面から上方へ離れた位置で保持される。これにより、バイオ油脂汚泥分解剤１１およびバイオ活性剤１２から溶出した成分（バクテリアおよびバクテリアの活性化成分）が貯留槽３の内部において漂う範囲が広くなり、バイオ油脂汚泥分解剤１１およびバイオ活性剤１２の効果を貯留槽３内部の広範囲に行き渡らせることができる。
【００５４】
また、本実施の形態においては、製剤収容部１４に側面１４ｂが形成されることで、製剤収容部１４に収容されるバイオ油脂汚泥分解剤１１およびバイオ活性剤１２自体が貯留槽３内の排液の流れにより製剤収容部１４から外部へ一度に流出するのが防止される。これに加えて、製剤収容部１４の底面１４ａおよび側面１４ｂに貫通孔１８が形成されることにより、バイオ油脂汚泥分解剤１１から溶け出したバクテリア等の成分およびバイオ活性剤１２から溶け出したバイオ活性成分を貯留槽３内部において適度に流通し易くすることができる。
【００５５】
また、バイオ活性剤１２からバイオ活性成分が溶け出して、バイオ活性剤１２自体が小さくなることにより、貫通孔１８を通じてバイオ活性剤１２自体が貯留槽３の底面に落ち得る。これによっても、貯留槽３の広い領域においてバイオ活性効果を高めることができる。なお、バイオ油脂汚泥分解剤１１および／またはバイオ活性剤１２は、水質改善用具の製剤収容部１４に収容されるものとは別に、予め貯留槽３の底面に撒いておいてもよい。これにより、貯留槽３への水質改善効果の速度を速めることができる。
【００５６】
また、本実施の形態において、取り付け部１６は、枠体１５ａの上端部に設けられた逆Ｕ字形状のフックにより構成されるため、貯留槽３の仕切り板５ｂにフックを引っ掛けることにより、水質改善用具１をグリストラップ２に簡単に設置することができる。また、取り付け部１６のフックより下方に製剤収容部１４および吸着材保持部１５が位置するため、水質改善用具１の設置時において、製剤収容部１４および吸着材保持部１５を、グリストラップ２の貯留槽３に貯留された排液内（液面より下方）に位置させ易くすることができる。
【００５７】
また、枠体１５ａが、複数の棒状体を組み合わせて形成され、製剤収容部１４が、複数の平板を組み合わせて形成されることにより、簡単な構成で吸着材保持部１５および製剤収容部１４を形成することができる。しかも、吸着材保持部１５においては枠体１５ａ内に収容される油脂吸着材１３への排液の流通を良くすることができるとともに、製剤収容部１４においては製剤収容部１４に収容されるバイオ油脂汚泥分解剤１１およびバイオ活性剤１２への排液の流通速度を制限することができる。したがって、油脂吸着材１３への油分の吸着効率を高めつつ、バイオ油脂汚泥分解剤１１およびバイオ活性剤１２が外部へ流出するのを防止することができる。
【００５８】
また、吸着材保持部１５が、枠体１５ａおよび枠体１５ａの上端部に設けられた移動抑制部１５ｂを備えることにより、枠体１５ａ内に油脂吸着材１３が収容された状態で、吸着材保持部１５が貯留槽３に貯留された排液中に設置された場合に、移動抑制部１５ｂによって油脂吸着材１３が浮力により上方に移動することを防止することができる。これにより、貯留槽３に貯留された排液の液面より下方において油脂吸着材１３を保持することができるため、油脂吸着材１３による油分の吸着効率を高めることができる。
【００５９】
また、本実施の形態によれば、固形のバイオ油脂汚泥分解剤１１および粒状のバイオ活性剤１２が製剤収容部１４に収容された状態で油脂吸着材１３がこれらの製剤の上方を覆った状態で吸着材保持部１５に保持される。したがって、貯留槽３内の排液の流れが速い場合でも、これらの製剤の過度の流出を抑えることができる。
【００６０】
以上、本発明の実施の形態について説明したが、本発明は上記実施の形態に限定されるものではなく、その趣旨を逸脱しない範囲内で種々の改良、変更、修正が可能である。
【００６１】
例えば、上記実施の形態において、製剤収容部１４の貫通孔１８は、底面１４ａおよび側面１４ｂの双方に設けられることを例示したが、底面１４ａおよび側面１４ｂのうちの何れか一方のみに設けられてもよい。また、底面１４ａと側面１４ｂとで、貫通孔１８の直径、割合、配列、形状等が異なっていてもよい。
【００６２】
また、製剤収容部１４および吸着材保持部１５の形状、構造等は、上記実施の形態に限られない。上記実施の形態において、製剤収容部１４は、底面１４ａの周囲を取り囲むように４つの側面１４ｂが設けられる構成を例示したが、これに限られない。
【００６３】
例えば、図３（ａ）に示す製剤収容部１４Ａのように、底面１４ａの周囲の一部に側面１４ｂが設けられていなくてもよい。図３（ａ）の製剤収容部１４Ａは、水質改善用具１が貯留槽３に取り付けられた状態における排液流通方向Ｘに対して直交する底面１４ａの端部（対向する２辺）に側面１４ｂが設けられている。なお、図３（ａ）には貫通孔１８は図示を省略しているが、貫通孔１８が底面１４ａおよび／または側面１４ｂに設けられていてもよい。
【００６４】
また、図３（ｂ）および図３（ｃ）に示すように、底面１４ａの周囲に側面１４ｂが設けられていなくてもよい。例えば図３（ｂ）に示す製剤収容部１４Ｂのように、バイオ油脂汚泥分解剤１１および／またはバイオ活性剤１２の移動を抑制する移動抑制部として、底面１４ａ上に複数の突起部１９が設けられていてもよい。突起部１９は、図３（ｂ）の例のように、棒状体によって構成されてもよいし、半球または円錐台等の形状を有していてもよい。
【００６５】
また、例えば、図３（ｃ）に示す製剤収容部１４Ｃのように、バイオ油脂汚泥分解剤１１および／またはバイオ活性剤１２の移動を抑制する移動抑制部として、底面１４ａ上に複数のリブ部２０が設けられていてもよい。図３（ｃ）の例において、リブ部２０は、水質改善用具１が貯留槽３に取り付けられた状態における排液流通方向Ｘに直交する方向に延びた断面半円形状のリブにより構成される。これに代えて、リブ部は、台形、三角形等の断面形状を有していてもよい。また、図３（ｃ）において、リブ部２０は、底面１４ａの排液流通方向Ｘに直交する方向全域にわたって延びているが、これに代えて、リブ部が底面１４ａの排液流通方向Ｘに直交する方向に断続的に延びてもよい。また、底面１４ａ自体が移動抑制部を構成するように波板状等に形成されてもよい。図３（ｂ）および図３（ｃ）等の構成においても底面１４ａに複数の貫通孔１８が設けられていてもよい。
【００６６】
また、吸着材保持部１５は、上記実施の形態のように、棒状体で形成されていなくてもよい。例えば、吸着材保持部１５は、金網により形成されてもよい。
【００６７】
また、上記実施の形態における水質改善用具１は、バイオ油脂汚泥分解剤１１およびバイオ活性剤１２が製剤収容部１４の底面１４ａに載置され、油脂吸着材１３が吸着材保持部１５に保持された状態で使用されることにより、バイオ油脂汚泥分解剤１１、バイオ活性剤１２および油脂吸着材１３による相乗効果を発揮し易い構成とすることが意図されている。しかし、例えば、バイオ油脂汚泥分解剤１１およびバイオ活性剤１２の何れか一方のみが製剤収容部１４に収容された状態で使用されてもよい。また、油脂吸着材１３が吸着材保持部１５に保持されていない状態で使用することも可能である。
【００６８】
また、上記実施の形態においては、取り付け部１６が第２の仕切り板５ｂに取り付けられることにより、水質改善用具１が貯留槽３の第２の区画６ｂに配置される態様について例示したが、取り付け部１６の貯留槽３への取り付け箇所はこれに限られない。例えば、取り付け部１６が第１の仕切り板５ａに取り付けられることにより、水質改善用具１が貯留槽３の第２の区画６ｂに配置されるようにしてもよい。また、水質改善用具１が第１または第３の区画６ａ，６ｃに配置されてもよい。また、貯留槽３の側壁に取り付けられてもよい。
【００６９】
取り付け部１６は、フック以外の構成でもよい。例えば、貯留槽３側の壁面にねじ止めにより固定したり、貯留槽３側の壁面に突起部を設けるとともに、取り付け部１６に、突起部に対応する穴を設け、当該取り付け部１６の穴に、壁面の突起部を差し込むことにより、水質改善用具１を貯留槽３に取り付けたりしてもよい。
【００７０】
水質改善用具１の大きさは、貯留槽３の大きさ、排液の流通量、排液の種類、必要な製剤１１，１２の量、必要な油脂吸着材１３の大きさ等に応じて適宜変更され得る。
【００７１】
上記実施の形態におけるバイオ油脂汚泥分解剤１１は固形の錠剤（タブレット）であり、バイオ活性剤１２は粒状の製剤を例示したが、バイオ油脂汚泥分解剤１１およびバイオ活性剤１２の形状、大きさ等は特に限定されず、固形または粒状の製剤１１，１２であれば種々適用可能である。
【産業上の利用可能性】
【００７２】
以上のように、本考案に係る水質改善用具は、簡単な構成でグリストラップの清掃の負担を軽減するために有用である。
【符号の説明】
【００７３】
１  水質改善用具
２  グリストラップ
３  貯留槽
５ａ，５ｂ  仕切り板
１１  バイオ油脂汚泥分解剤
１２  バイオ活性剤
１３  油脂吸着材
１４，１４Ａ，１４Ｂ，１４Ｃ  製剤収容部
１４ａ  底面
１４ｂ  側面
１５  吸着材保持部
１５ａ  枠体
１５ｂ  移動抑制部
１６  取り付け部
１８  貫通孔
【図１】
0003217047.tif 000003
【図２】
0003217047.tif 000004
【図３】
0003217047.tif 000005